【手続補正書】
【提出日】平成28年1月13日(2016.1.13)
【手続補正１】
【補正対象書類名】特許請求の範囲
【補正対象項目名】全文
【補正方法】変更
【補正の内容】
【特許請求の範囲】
【請求項１】
コード化ビデオコンテンツを含むビデオファイルを生成する方法であって、
コード化ビデオコンテンツの複数のスライスを取得することと、
複数の時間レイヤを含むビデオストリームの複数のアクセス単位内にコード化ビデオコンテンツの前記複数のスライスをカプセル化することと、
ファイルトラックのサンプル記述内に前記ビデオストリームの時間レイヤの合計数を示すインジケータを別のエントリーとしてカプセル化することと、を備える、方法。
【請求項２】
コード化ビデオコンテンツを含むビデオファイルを処理する方法であって、
ビデオストリームの複数のアクセス単位からコード化ビデオコンテンツの複数のスライスを逆カプセル化することであって、前記ビデオストリームが複数の時間レイヤを含む、逆カプセル化することと、
ファイルトラックのサンプル記述内の前記ビデオストリームの時間レイヤの合計数を示すインジケータを別のエントリーから取得することと、を備える、方法。
【請求項３】
前記ファイルトラックが、時間レイヤに対する前記トラック中のサンプルの割当ての表現、及び、前記時間レイヤの各々の特性記述を含む、請求項１又は２に記載の方法。
【請求項４】
前記特性記述が、時間レイヤ識別情報、プロファイル、レベル、ビットレート、及びフレームレートの少なくとも１つを含む、請求項３に記載の方法。
【請求項５】
命令を記憶したコンピュータ可読記憶媒体であって、前記命令が、実行されると、ビデオコード化装置の１つ以上のプロセッサに、請求項1乃至４のいずれか1項に記載の方法を実行させる、コンピュータ可読記憶媒体。
【請求項６】
コード化ビデオコンテンツを含むビデオファイルを生成するように構成される装置であって、
コード化ビデオコンテンツの複数のスライスを取得するための手段と、
複数の時間レイヤを含むビデオストリームの複数のアクセス単位内にコード化ビデオコンテンツの前記複数のスライスをカプセル化するための手段と、
ファイルトラックのサンプル記述内に前記ビデオストリームの時間レイヤの合計数を示すインジケータを別のエントリーとしてカプセル化するための手段と、を備える、装置。
【請求項７】
コード化ビデオコンテンツを含むビデオファイルを処理するように構成される装置であって、
複数の時間レイヤを含むビデオストリームの複数のアクセス単位からコード化ビデオコンテンツの複数のスライスを逆カプセル化するための手段と、
ファイルトラックのサンプル記述内の、前記ビデオストリームの時間レイヤの数を示すインジケータを別のエントリーから取得するための手段と、を備える、装置。
【請求項８】
前記ファイルトラックが、時間レイヤに対する前記トラック中のサンプルの割当ての表現、及び、前記時間レイヤの各々の特性記述を含む、請求項６又は７に記載の装置。
【請求項９】
前記特性記述が、時間レイヤ識別情報、プロファイル、レベル、ビットレート、及びフレームレートの少なくとも１つを含む、請求項８に記載の装置。
【手続補正２】
【補正対象書類名】明細書
【補正対象項目名】０１９６
【補正方法】変更
【補正の内容】
【０１９６】
[0165]様々な例が説明されてきた。これら及び他の例は以下の特許請求の範囲内に入る。
以下に本件出願当初の特許請求の範囲に記載された発明を付記する。
［１］  コード化ビデオコンテンツを含むビデオファイルを生成する方法であって、コード化ビデオコンテンツの複数のスライスを取得することと、複数の時間レイヤを含むビデオストリームの複数のアクセス単位内にコード化ビデオコンテンツの前記複数のスライスをカプセル化することと、ファイルトラックのサンプル記述内に前記ビデオストリームの時間レイヤの数を示すインジケータをカプセル化することと、を備える、方法。
［２］  前記ファイルトラックが、時間レイヤに対する前記トラック中のサンプルの割当ての表現、及び、前記時間レイヤの各々の特性の記述を含む、［１］に記載の方法。
［３］  前記特性記述が、時間レイヤ識別情報、プロファイル、レベル、ビットレート、及びフレームレートの少なくとも１つを含む、［２］に記載の方法。
［４］  コード化ビデオコンテンツを含むビデオファイルを生成する方法であって、コード化ビデオコンテンツの複数のスライスを取得することと、複数の時間レイヤを含むビデオストリームの複数のアクセス単位内にコード化ビデオコンテンツの前記複数のスライスをカプセル化することと、時間レイヤに対する前記トラック中の前記サンプルの割当ての表現、及び、前記時間レイヤの各々の特性の記述を含むファイルトラック中の複数のサンプル内に前記複数のアクセス単位をカプセル化することと、を備える、方法。
［５］  前記特性記述が、時間レイヤ識別情報、プロファイル、レベル、ビットレート、及びフレームレートの少なくとも１つを含む、［４］に記載の方法。
［６］  ビデオファイル作成モジュールを備える装置であって、前記ビデオファイル作成モジュールが、コード化ビデオコンテンツの複数のスライスを取得することと、複数の時間レイヤを含むビデオストリームの複数のアクセス単位内にコード化ビデオコンテンツの前記複数のスライスをカプセル化することと、ファイルトラックのサンプル記述内に前記ビデオストリームの時間レイヤの数を示すインジケータをカプセル化することと、を行うように構成される、装置。
［７］  前記ファイルトラックが、時間レイヤに対する前記トラック中のサンプルの割当ての表現、及び、前記時間レイヤの各々の特性の記述を含む、［６］に記載の装置。
［８］  前記特性記述が、時間レイヤ識別情報、プロファイル、レベル、ビットレート、及びフレームレートの少なくとも１つを含む、［７］に記載の装置。
［９］  ビデオファイル作成モジュールを備える装置であって、前記ビデオファイル作成モジュールが、コード化ビデオコンテンツの複数のスライスを取得することと、複数の時間レイヤを含むビデオストリームの複数のアクセス単位内にコード化ビデオコンテンツの前記複数のスライスをカプセル化することと、時間レイヤに対する前記トラック中の前記サンプルの割当ての表現、及び、前記時間レイヤの各々の特性の記述を含むファイルトラック中の複数のサンプル内に前記複数のアクセス単位をカプセル化することと、を行うように構成される、装置。
［１０］  前記特性記述が、時間レイヤ識別情報、プロファイル、レベル、ビットレート、及びフレームレートの少なくとも１つを含む、［９］に記載の装置。
［１１］  命令を記憶した非一時的コンピュータ可読記憶媒体であって、前記命令が、実行されると、ビデオコード化装置の１つ以上のプロセッサに、コード化ビデオコンテンツの複数のスライスを取得することと、複数の時間レイヤを含むビデオストリームの複数のアクセス単位内にコード化ビデオコンテンツの前記複数のスライスをカプセル化することと、ファイルトラックのサンプル記述内に前記ビデオストリームの時間レイヤの数を示すインジケータをカプセル化することと、を行わせる、非一時的コンピュータ可読記憶媒体。
［１２］  前記ファイルトラックが、時間レイヤに対する前記トラック中のサンプルの割当ての表現、及び、前記時間レイヤの各々の特性の記述を含む、［１１］に記載の非一時的コンピュータ可読記憶媒体。
［１３］  前記特性記述が、時間レイヤ識別情報、プロファイル、レベル、ビットレート、及びフレームレートの少なくとも１つを含む、［１２］に記載の非一時的コンピュータ可読記憶媒体。
［１４］  命令を記憶した非一時的コンピュータ可読記憶媒体であって、前記命令が、実行されると、ビデオコード化装置の１つ以上のプロセッサに、コード化ビデオコンテンツの複数のスライスを取得することと、複数の時間レイヤを含むビデオストリームの複数のアクセス単位内にコード化ビデオコンテンツの前記複数のスライスをカプセル化することと、時間レイヤに対する前記トラック中の前記サンプルの割当ての表現、及び、前記時間レイヤの各々の特性の記述を含むファイルトラック中の複数のサンプル内に前記複数のアクセス単位をカプセル化することと、を行わせる、非一時的コンピュータ可読記憶媒体。
［１５］  前記特性記述が、時間レイヤ識別情報、プロファイル、レベル、ビットレート、及びフレームレートの少なくとも１つを含む、［１４］に記載の非一時的コンピュータ可読記憶媒体。
［１６］  コード化ビデオコンテンツを含むビデオファイルを生成するように構成される装置であって、コード化ビデオコンテンツの複数のスライスを取得するための手段と、複数の時間レイヤを含むビデオストリームの複数のアクセス単位内にコード化ビデオコンテンツの前記複数のスライスをカプセル化するための手段と、ファイルトラックのサンプル記述内に前記ビデオストリームの時間レイヤの数を示すインジケータをカプセル化するための手段と、を備える、装置。
［１７］  コード化ビデオコンテンツを含むビデオファイルを生成するように構成される装置であって、コード化ビデオコンテンツの複数のスライスを取得するための手段と、複数の時間レイヤを含むビデオストリームの複数のアクセス単位内にコード化ビデオコンテンツの前記複数のスライスをカプセル化するための手段と、間レイヤに対する前記トラック中の前記サンプルの割当ての表現、及び、前記時間レイヤの各々の特性の記述を含むファイルトラック中の複数のサンプル内に前記複数のアクセス単位をカプセル化するための手段と、を備える、装置。
［１８］  コード化ビデオコンテンツを含むビデオファイルを処理する方法であって、ビデオストリームの複数のアクセス単位からコード化ビデオコンテンツの複数のスライスを逆カプセル化することであって、前記ビデオストリームが複数の時間レイヤを含む、逆カプセル化することと、ファイルトラックのサンプル記述内の前記ビデオストリームの時間レイヤの数を示すインジケータを取得することと、を備える、方法。
［１９］  前記ファイルトラックが、時間レイヤに対する前記トラック中のサンプルの割当ての表現、及び、前記時間レイヤの各々の特性の記述を含む、［１８］に記載の方法。
［２０］  前記特性記述が、時間レイヤ識別情報、プロファイル、レベル、ビットレート、及びフレームレートの少なくとも１つを含む、［１９］に記載の方法。
［２１］  コード化ビデオコンテンツを含むビデオファイルを処理する方法であって、時間レイヤに対する前記トラック中の前記サンプルの割当ての表現、及び、前記時間レイヤの各々の特性の記述を含むファイルトラック中の複数のサンプルから複数のアクセス単位を逆カプセル化することと、複数の時間レイヤを含むビデオストリームの複数のアクセス単位からコード化ビデオコンテンツの複数のスライスを逆カプセル化することと、を備える、方法。
［２２］  前記特性記述が、時間レイヤ識別情報、プロファイル、レベル、ビットレート、及びフレームレートの少なくとも１つを含む、［２１］に記載の方法。
［２３］  プロセッサを備える装置であって、前記プロセッサが、複数の時間レイヤを含むビデオストリームの複数のアクセス単位からコード化ビデオコンテンツの複数のスライスを逆カプセル化することと、ファイルトラックのサンプル記述から前記ビデオストリームの時間レイヤの数を示すインジケータを取得することと、を行うように構成される、装置。
［２４］  前記ファイルトラックが、時間レイヤに対する前記トラック中のサンプルの割当ての表現、及び、前記時間レイヤの各々の特性の記述を含む、［２３］に記載の装置。
［２５］  前記特性記述が、時間レイヤ識別情報、プロファイル、レベル、ビットレート、及びフレームレートの少なくとも１つを含む、［２４］に記載の装置。
［２６］  プロセッサを備える装置であって、前記プロセッサが、時間レイヤに対する前記トラック中の前記サンプルの割当ての表現、及び、前記時間レイヤの各々の特性の記述を含むファイルトラック中の複数のサンプルから複数のアクセス単位を逆カプセル化することと、複数の時間レイヤを含むビデオストリームの複数のアクセス単位からコード化ビデオコンテンツの複数のスライスを逆カプセル化することと、を行うように構成される、装置。
［２７］  前記特性記述が、時間レイヤ識別情報、プロファイル、レベル、ビットレート、及びフレームレートの少なくとも１つを含む、［２６］に記載の装置。
［２８］  命令を記憶した非一時的コンピュータ可読記憶媒体であって、前記命令が、実行されると、ビデオコード化装置の１つ以上のプロセッサに、複数の時間レイヤを含むビデオストリームの複数のアクセス単位からコード化ビデオコンテンツの複数のスライスを逆カプセル化することと、ファイルトラックのサンプル記述から前記ビデオストリームの時間レイヤの数を示すインジケータを取得することと、を行わせる、非一時的コンピュータ可読記憶媒体。
［２９］  前記ファイルトラックが、時間レイヤに対する前記トラック中のサンプルの割当ての表現、及び、前記時間レイヤの各々の特性の記述を含む、［２８］に記載の非一時的コンピュータ可読媒体。
［３０］  前記特性記述が、時間レイヤ識別情報、プロファイル、レベル、ビットレート、及びフレームレートの少なくとも１つを含む、［２９］に記載の非一時的コンピュータ可読媒体。
［３１］  命令を記憶した非一時的コンピュータ可読記憶媒体であって、前記命令が、実行されると、ビデオコード化装置の１つ以上のプロセッサに、時間レイヤに対する前記トラック中の前記サンプルの割当ての表現、及び、前記時間レイヤの各々の特性の記述を含むファイルトラック中の複数のサンプルから複数のアクセス単位を逆カプセル化することと、複数の時間レイヤを含むビデオストリームの複数のアクセス単位からコード化ビデオコンテンツの複数のスライスを逆カプセル化することと、を行わせる、非一時的コンピュータ可読記憶媒体。
［３２］  前記特性記述が、時間レイヤ識別情報、プロファイル、レベル、ビットレート、及びフレームレートの少なくとも１つを含む、［３１］に記載の非一時的コンピュータ可読媒体。
［３３］  コード化ビデオコンテンツを含むビデオファイルを処理するように構成される装置であって、複数の時間レイヤを含むビデオストリームの複数のアクセス単位からコード化ビデオコンテンツの複数のスライスを逆カプセル化するための手段と、ファイルトラックのサンプル記述内の、前記ビデオストリームの時間レイヤの数を示すインジケータを取得するための手段と、を備える、装置。
［３４］  コード化ビデオコンテンツを含むビデオファイルを処理するように構成される装置であって、時間レイヤに対する前記トラック中の前記サンプルの割当ての表現、ならびに、前記時間レイヤの各々の特性の記述を含むファイルトラック中の複数のサンプルから複数のアクセス単位を逆カプセル化するための手段と、複数の時間レイヤを含むビデオストリームの複数のアクセス単位からコード化ビデオコンテンツの複数のスライスを逆カプセル化するための手段と、を備える、装置。